(57)【要約】【課題】可動枠が閉じられるのに伴い、固定枠の幕板と可動枠との間の隙間を閉鎖して、不正行為防止を図る。【解決手段】可動枠４が閉じられるのに伴い、カバー１１が固定枠２における幕板３の上部前側に配置されて、幕板３の上面と可動枠４の下面との間に形成される隙間１２を前側から全体的に閉鎖し、不正操作部材が遊技機枠１の前側から隙間１２に侵入することがなく、不正操作部材の隙間１２への侵入に伴う裏側の制御装置や払出機構などに対する不正行為および隙間１２に不正操作部材を挿入して可動枠４を傾けて球を入賞部品に入賞しやすくする不正行為の双方を防止することができる。【選択図】        図１
2004187853.tif 000002
【特許請求の範囲】
【請求項１】
遊技店の遊技機設置設備に取り付けられる固定枠と、固定枠の前面下部に設けられた幕板と、幕板よりも上方における固定枠の前側に前側横方向に片開き可能に取り付けられた可動枠とを備えた遊技機枠において、幕板と可動枠との間に形成される隙間を閉鎖するカバーが可動枠または固定枠のいずれかに設けられたことを特徴とする遊技機枠。
【請求項２】
可動枠が閉じられた場合、カバーが固定枠または可動枠のいずれかに接触することを特徴とする請求項１記載の遊技機枠。
【請求項３】
カバーが弾性材料で形成されるとともに可動枠を閉じた場合に隙間に挟み込まれることを特徴とする請求項１記載の遊技機枠。
【発明の詳細な説明】
【０００１】
【発明の属する技術分野】
本発明はパチンコ機やスロットマシンなどの遊技の結果として換金性の有る遊技媒体を賞として遊技者に払い出す遊技機に用いられる遊技機枠であって、遊技機枠の前側から裏側に貫通する隙間を閉鎖する構造に関する。
【０００２】
【従来の技術】
従来のパチンコ機に用いられる遊技機枠は額縁状の固定枠が前面下部に幕板を備え、幕板よりも上部における固定枠の前側に額縁状の可動枠がヒンジで前側横方向に片開き可能に取り付けられている（例えば、特許文献１参照）。
【０００３】
【特許文献１】
特開平９−１３１４５７号公報（第２頁、段落番号００１２、図１）
【０００４】
【発明が解決しようとする課題】
しかしながら、可動枠は遊技盤、タンクを含む払出機構、受皿、発射操作機構、発射機構、制御装置、飾り枠などの全部の部品が取り付けられて重量が２０ｋｇ程度と重いことから、ヒンジが金属製で厚い材料により形成されている一方、固定枠側のヒンジは幕板と固定枠との結合強度を確保することから、幕板の上面と固定枠の内側面とに跨って取り付けられた構造になっている。このため、固定枠にヒンジで取り付けられた可動枠が閉じられた場合、幕板の上面と可動枠の下面との間にはヒンジの厚さによる隙間が数ミリ程度に形成される。そのようなことから、少数の心ない遊技者がピアノ線のような長い部材を遊技機枠の前側から上記隙間を利用して遊技機枠の裏側に挿入し、裏側の制御装置や払出機構などに不正行為を行うことがあるという問題点があった。
【０００５】
そこで、本発明は、可動枠が閉じられるのに伴い、固定枠の幕板と可動枠との間の隙間を閉鎖することによって、不正行為を防止することができる遊技機枠を提供するものである。
【０００６】
【課題を解決するための手段】
本発明にあっては、遊技店の遊技機設置設備に取り付けられる固定枠と、固定枠の前面下部に設けられた幕板と、幕板よりも上方における固定枠の前側に前側横方向に片開き可能に取り付けられた可動枠とを備えた遊技機枠において、幕板と可動枠との間に形成される隙間を閉鎖するカバーが可動枠または固定枠のいずれかに設けられたことによって、不正操作部材が遊技機枠の前側から上記隙間を経由して裏側に挿入されることをカバーが防止するので、裏側の制御装置や払出機構などに対する不正行為を防止することができ、遊技機枠の品質信頼性を向上することができる。また、本発明にあっては、可動枠が閉じられた場合、カバーが固定枠または可動枠のいずれかに接触すれば、不正操作部材の上記隙間への侵入防止が一層高くなる。また、本発明にあっては、カバーが弾性材料で形成されるとともに可動枠を閉じた場合に隙間に挟み込まれれば、不正操作部材の上記隙間への侵入に伴う裏側の制御装置や払出機構などに対する不正行為および上記隙間に不正操作部材を挿入して可動枠を傾けて球を入賞部品に入賞しやすくする不正行為の双方を防止することができる。
【０００７】
【発明の実施の形態】
図１および図２は第１実施形態であって、図１は遊技機枠１の縦方向で切断した断面を示し、図２は可動枠４が開けられた遊技機枠１の外観を示す。
【０００８】
図２を参照し、遊技機枠１について説明する。遊技機枠１では額縁状の固定枠２が前面下部に幕板３を備え、幕板３よりも上部における固定枠２の前側に額縁状の可動枠４がヒンジ５で前側横方向に片開き可能に取り付けられる。固定枠２は遊技店の遊技機設置設備に取り付けられる枠である。可動枠４には図外の遊技盤が交換可能に取り付けられる。可動枠４の下部前側には図外の発射機構を備える。可動枠４の裏側には図外のタンクを含む払出機構、発射機構および払出機構を制御する図外の制御装置を備える。可動枠４は前側に遊技盤の前側を覆う飾り枠６、受皿７、発射操作機構８を備える。
【０００９】
可動枠４は固定枠２に設けられた施錠装置９に図外の鍵（キープレート）を差し込んで、鍵を例えば右側に９０度回転操作することで、施錠装置９が固定枠２と可動枠４とを掛け止めている図外のロック機構をアンロックに動作する。このアンロック下において、人が可動枠４を前側に開くことが可能となる。可動枠４が開かれた状態において、人が鍵を施錠装置９から抜き、可動枠４を後側に閉じることで、可動枠４が固定枠２にロック機構でロックされると、可動枠４は開けられなくなる。
【００１０】
飾り枠６は中央にガラスまたは合成樹脂からなる透過性パネル１０を備える。飾り枠６は可動枠４または固定枠２に図外のヒンジで前側横方向に片開き可能に取り付けられる。飾り枠６は上記施錠装置９に差し込まれた鍵を例えば左側に９０度回転操作することで、施錠装置９が固定枠２と飾り枠６とを掛け止めている図外のロック機構をアンロックに動作する。このアンロック下において、人が飾り枠６を前側に開くことが可能となる。飾り枠６が開かれた状態において、人が鍵を施錠装置９から抜き、飾り枠６を後側に閉じることで、飾り枠６が固定枠２にロック機構でロックされると、飾り枠６は開けられなくなる。
【００１１】
受皿７は可動枠４に図外のヒンジで前側横方向に片開き可能に取り付けられる。飾り枠６が開かれた状態において、人が図外のロック操作体を操作することで、受皿７を開くことが可能となる。可動枠４と飾り枠６および受皿７が閉じられ、受皿７に球が入れられ、制御装置が電力供給で起動した状態において、人が発射操作機構８を例えば右回りに回転操作すると、発射機構が受皿７から供給された球を１個ずつ遊技盤の遊技領域に向けて発射する。遊技領域に発射された球が遊技領域に配置された入賞部品に入賞すると、払出機構が換金性の有る賞としての球を受皿７に払い出す。
【００１２】
とりわけ、図１のａ図にも示すように、第１実施形態の場合、可動枠４の下部にはカバー１１が可動枠４の横幅方向および下方に延びる形態で固定される。具体的には、カバー１１は可動枠４の受皿７よりも下部に固定的に設けられ、カバー１１が受皿７の開閉に邪魔とならず、可動枠４を閉じることで、カバー１１は固定枠２における幕板３の上部前側に配置されて、幕板３の上面と可動枠４の下面との間に形成される隙間１２を前側から全体的に閉鎖する。この結果、可動枠４が閉じられた場合、カバー１１の裏面と幕板３の前面との間の隙間１３と隙間１２とが互いに直交する屈曲形成に構成される。
【００１３】
このため、人がピアノ線または硬貨などの不正操作部材を遊技機枠１の前側から隙間１３に挿入しても、当該不正操作部材はカバー１１と可動枠４との連接部分で行き止まりとなり、不正操作部材がカバー１１と可動枠４との連接部分から隙間１２に侵入することはないので、不正操作部材が遊技機枠１の前側から裏側に挿入されることはない。よって、裏側の制御装置や払出機構などに対する不正行為を防止することができ、遊技機枠１の品質信頼性を向上することができる。また、カバー１１が前側に設けられていることから、遊技機枠１の前側から隙間１２に不正操作部材を挿入して可動枠４を傾けて球を入賞部品に入賞しやすくする不正行為も防止することができる。
【００１４】
可動枠４が閉じられた場合、カバー１１の裏面と幕板３の前面とが互いに接触していなくてもよいが、カバー１１の裏面が幕板３の前面に接触すれば、不正操作部材の挿入を防止する性能が一層高くなる。また、カバー１１が可動枠４の前側に設けられているので、図１のｂ図に示すように可動枠４が開けられる場合、カバー１１も可動枠４と一緒に固定枠２から前側に離れるので、カバー１１が可動枠４の開閉を邪魔することはない。カバー１１は可動枠４の下部および隙間１２を覆うように受皿７に設けられても同様に適用することができる。
【００１５】
図３は第２実施形態に係る遊技機枠１の縦方向に切断した断面を示し、カバー１４が可動枠４の下片構成体１５の形状を変えることで、カバー１４が下片構成体１５と単一体として形成されたことで、図１に示す別体のカバー１１を可動枠４に取り付ける手間を省くことができる。
【００１６】
図４は第３実施形態に係る遊技機枠１の縦方向に切断した断面を示し、カバー１６が幕板３に固定枠２の横幅方向および上方に延びる形態で固定されて、可動枠４を閉じることで、カバー１６は隙間１２を裏側から全体的に閉鎖する。この結果、可動枠４が閉じられた場合、カバー１６の前面と可動枠４の裏面との間の隙間１７と隙間１２とが互いに直交する屈曲形成に構成される。幕板３に設けられたカバー１６を固定枠２の下片構成体１８にまで延長させ、その延長部を下片構成体１８に固定してもよい。この場合、カバー１６は幕板３および下片構成体１８のいずれかに固定するだけでもよい。
【００１７】
したがって、人が不正操作部材を遊技機枠１の前側から隙間１２に挿入しても、当該不正操作部材はカバー１６と固定枠２との連接部分で行き止まりとなり、不正操作部材がカバー１６と固定枠２との連接部分から隙間１７に侵入することはない。別体のカバー１６を幕板３に設けてもよいが、幕板３の形状を変えることで、カバー１６と幕板３とを単一体として形成してもよい。
【００１８】
図５は第４実施形態に係る遊技機枠１の縦方向に切断した断面を示し、カバー１９が幕板３の前面に固定される。このカバー１９は弾性材料で形成されるとともに可動枠４を閉じた場合に隙間１２に挟み込まれることで、カバー１９が幕板３の上面と可動枠４の下面との間に形成される隙間１２を閉鎖した形態である。
【００１９】
図６は第５実施形態に係る遊技機枠１の縦方向に切断した断面を示し、カバー１９が可動枠４の下部裏面に固定されれば、可動枠４の前側意匠および幕板３の前側意匠がカバー１９で左右されることはない。
【００２０】
第４および第５実施形態によれば、カバー１９が隙間１２に挟み込まれるので、不正操作部材の隙間１２への侵入に伴う裏側の制御装置や払出機構などに対する不正行為および隙間１２に不正操作部材を挿入して可動枠４を傾けて球を入賞部品に入賞しやすくする不正行為の双方を防止することができる。
【図面の簡単な説明】
【図１】第１実施形態の遊技機枠のカバー周りを示し、ａ図は可動枠を閉じた縦断面図、ｂ図は可動枠を開けた縦断面図。
【図２】第１実施形態の遊技機枠を示す斜視図。
【図３】第２実施形態のカバー周りを示す縦断面図。
【図４】第３実施形態のカバー周りを示す縦断面図。
【図５】第４実施形態のカバー周りを示す縦断面図。
【図６】第５実施形態のカバー周りを示す縦断面図。
【符号の説明】
２  固定枠
３  幕板
４  可動枠
１１；１４；１６；１９  カバー
１２  隙間
【図１】
2004187853.tif 000003
【図２】
2004187853.tif 000004
【図３】
2004187853.tif 000005
【図４】
2004187853.tif 000006
【図５】
2004187853.tif 000007
【図６】
2004187853.tif 000008